(57)【要約】      （修正有）【課題】サブキャップの締め具合に関係なく半円球面部の下部から溢流する液を全量ボトル内に回収して、サブキャップとメインキャップとの螺合部への溢流及び螺合部からの漏洩を皆無にし、液体取扱ボトルの取り扱い簡便なものし、且つ漏洩による液損失をも皆無にする液漏防止キャップ付液体収容ボトルを提供する。【解決手段】上部の供給口１１をキャップにより開閉する液体収容ボトルにおいて、前記供給口の外周部にボトル内に貫通する溢流液回収孔１１ａを設けると共に、前記供給口の外周面と上部内周面間に前記溢流液回収孔に連通可能なプールを形成する溢流溜リング堰２０を摺動回転可能に装着し、溢流溜リング堰２０のプール２０ｃ側に前記回収孔１１ａを開閉する開閉ブロック２０ｂを設けて液漏防止キャップ付液体収容ボトルを構成する。【選択図】図１
0003155424.tif 000002
【実用新案登録請求の範囲】
【請求項１】
上部の供給口をキャップにより開閉する液体収容ボトルにおいて、前記供給口の外周部にボトル内に貫通する溢流液回収孔を設けると共に、前記供給口の外周面と上部内周面間に前記溢流液回収孔に連通可能なプールを形成する溢流溜リング堰２０を摺動回転可能に装着し、溢流溜リング堰のプール側に前記回収孔を開閉する開閉ブロックを設けたことを特徴とする液漏防止キャップ付液体収容ボトル。
【請求項２】
メインキャップの上部の供給口は、多数の孔明き板を底部に設けた細孔体嵌入部に細孔体の下部を嵌入し、細孔体をドーナツ型ホルダーで保持して構成し、この供給口をサブキャップにより開閉する液体収容ボトルにおいて、メインキャップの上部の供給口の外周部に、溢流液回収孔を設けると共に、前記供給口の外周面と上部内周面間に前記溢流液回収孔に連通可能なプールを形成する溢流溜リング堰２０を摺動回転可能に装着し、溢流溜リング堰のプール側に前記回収孔を開閉する開閉ブロックを設けたことを特徴とする液漏防止キャップ付液体収容ボトル。
【考案の詳細な説明】
【技術分野】
【０００１】  本考案は、液漏防止キャップ付液体収容ボトルに関するものである。
【背景技術】
【０００２】  上部に液体供給口を有する液体取扱ボトルは、その収容液体を他に供給する場合は、液体供給口のキャップを外し、ボトル自体を縦状態から斜めにして或いは下方に向けて、収容液体の液面レベルを供給口の位置以上の高さ位置にして溢流流出させる。所定量を流出させた後は、元の縦状態にしてキャップを締める。
この一連の操作は、上部に液体供給口に何も装填してない場合、或いは細孔体を装填して溢流流出速度を抑制したものでも変わりはない。
キャップは、液体取扱ボトルの未使用時は、液体供給口の周囲に密着閉止して、液漏れを防止するものである。【０００３】そこで、液体供給口に細孔体を装填した液体取扱ボトルの構造を図に示す。
液体取扱ボトル１０は、上部の液体供給口１１に液体収容用のメインキャップ１２を螺着する。
メインキャップ１２の上部の供給口は、多数の供給孔１３ａを設けた孔明き板１３を底部にした細孔体嵌入部１４と円形細孔体１５とドーナツ型ホルダー１６とサブキャップ１７により構成してある。
細孔体嵌入部１４は、中央部を半円球にした突状の円形細孔体１５の下部つば部１５ａを嵌入する。
ドーナツ型ホルダー１６は、細孔体嵌入部１４の外周端面に嵌入又は螺着することにより、円形細孔体１５の下部つば部１５ａの上面縁部を圧接保持して、半円球部１５ｂを中央開口リング部１６ａから突出した状態にして、半円球の供給口を形成する。
このメインキャップ１２の上部の供給口１３は、サブキャップ１７により開閉する。
サブキャップ１７は、メインキャップ１２の上部の外周に螺着し、内部上端に設けた閉止リング１７ａの下端をドーナツ型ホルダー１６の上周面に圧接させ円形細孔体１５の半円球面からの溢流液の漏れを防止しようとするものである。【０００４】しかし、円形細孔体１５の半円球面から液体を供給した後は、縦型にしても円球面部に残留した液体の一部は沈降して孔明き板１３からボトル内に回収されるが一部は半円球面部の下部から溢流する。これがサブキャップ１７の締め具合では、半サブキャップ１７とメインキャップ１２との螺合部に流下し、更には螺合部からボトル外周面に垂れ流れて汚損し、液体取扱ボトルの取り扱いを甚だ厄介なものにするばかりか、この漏洩による液損失も大きい。
【特許文献１】特開２００４−１２３１５４号公報（参考）
【考案の開示】
【考案が解決しようとする課題】
【０００５】  本考案は上記の従来技術の問題点を解決するもので、サブキャップの締め具合に関係なく半円球面部の下部から溢流する液を全量ボトル内に回収して、サブキャップとメインキャップとの螺合部への溢流及び螺合部からの漏洩を皆無にし、液体取扱ボトルの取り扱い簡便なものし、且つ漏洩による液損失をも皆無にする液漏防止キャップ付液体収容ボトルを提供するものである。
【課題を解決するための手段】
【０００６】  本考案は上記問題を解決するためになされたものでありその特徴とするところは、次の（１）と（２）にある。
（１）、上部の供給口１１をキャップにより開閉する液体収容ボトル２０において、前記供給口１１の外周部に、ボトル２０内に貫通する溢流液回収孔１１ａを設けると共に、前記供給口１１の外周面と上部内周面間に前記溢流液回収孔１１ａに連通可能なプール２０ｃを形成する溢流溜リング堰２０を摺動回転可能に装着し、溢流溜リング堰２０のプール２０ｃ側に前記回収孔１１ａを開閉する開閉ブロック２０ｂを設けたことを特徴とする液漏防止キャップ付液体収容ボトル。
（２）メインキャップ１２の上部の供給口１１は、多数の孔明き板１３を底部に設けた細孔体嵌入部１４に細孔体１５の下部を嵌入し、細孔体１５をドーナツ型ホルダー１６で保持して構成し、この供給口１１をサブキャップ１７により開閉する液体収容ボトル２０において、メインキャップ１２の上部の供給口１１の外周部にボトル２０内に貫通する、溢流液回収孔１１ａを設けると共に、前記供給口１１の外周面と上部内周面間に前記溢流液回収孔１１ａに連通可能なプール２０ｃを形成する溢流溜リング堰２０を摺動回転可能に装着し、溢流溜リング堰２０のプール２０ｃ側に前記回収孔１１ａを開閉する開閉ブロック２０ｂを設けたことを特徴とする液漏防止キャップ付液体収容ボトル。
【考案の効果】
【０００７】  本考案の液漏防止キャップ付液体収容ボトルは、上記構成により、
液供給時は、溢流溜リング堰を回して、開閉ブロックにより回収孔を閉止しておき、液供給後は、溢流溜リング堰を回して、開閉ブロックにより回収孔を所定時間開口しておくもので、これによりサブキャップの締め具合に関係なく半円球面部の下部から溢流する液を溢流溜リング堰の溢流溜部に導入し、これをドーナツ型ホルダーとメインキャップの外周壁を貫通する回収孔から全量ボトル内に回収流入して、サブキャップとメインキャップとの螺合部への溢流及び螺合部からの漏洩を皆無にし、液体取扱ボトルの取り扱い簡便なものし、且つ漏洩による液損失をも皆無にするなどの優れた効果を呈するものである。
【考案を実施するための最良の形態】
【０００８】本考案を実施するための最良の形態を次に紹介する実施例により詳細に説明する。
【実施例１】
【０００９】  本例の液漏防止キャップ付液体収容ボトル１０は、メインキャップ１２の上部の供給口１１に、多数の供給孔１３ａを設けた孔明き板１３を底部に設けた細孔体嵌入部１４を一体的に形成し、細孔体嵌入部１４に細孔体１５の下部を嵌入し、細孔体嵌入部１４の外周部にドーナツ型ホルダー１６を嵌入して、細孔体１５の保持し、この供給口をサブキャップ１７により開閉する。
供給口１１における前記ドーナツ型ホルダー１６の装着部の外周下部には貫通する回収孔１１ａを設けると共に、溢流溜リング堰２０を装着する。
溢流溜リング堰２０は、下部内周部に突リング２０ａを形成し、突リング２０ａの上面には９０度の等角度で開閉ブロック２０ｂを４個固定設置する。
突リング２０ａは供給口１１の外周部に摺動可能に密着嵌合する。
開閉ブロック２０ｂは、溢流溜リング堰２０の回転により前記回収孔１１ａを開閉する。
これにより溢流溜リング堰２０は、その内周面と突リング２０ａ上面とドーナツ型ホルダー１６の外周面間に細孔体１５からの溢流液を一旦収容するプール２０ｃを形成する。
溢流溜リング堰２０は，手で簡単に廻せるように外周面を縦じま状などの適宜なエンボス加工を施すか、取っ手を任意の位置に設置すればよい。【００１０】この構成により、ボトル１０は、液供給時は、溢流溜リング堰２０を回して、開閉ブロック２０ｂにより回収孔１１ａを閉止しておき、液供給後は、縦置きにして溢流溜リング堰２０を回して、開閉ブロック２０ｂにより回収孔１１ａを所定時間開口しておくもので、これによりサブキャップの締め具合に関係なく細孔体１５の半円球面部から溢流する液を溢流溜リング堰２０のプール２０ｃに導入し、これを回収孔１１ａから全量ボトル１０内に回収流入して、サブキャップ１７とメインキャップ１２との螺合部への溢流及び螺合部からの漏洩を皆無にし、液体取扱ボトル１０の取り扱いを簡便なものし、且つ漏洩による液損失をも皆無にすることができるものである。
【産業上の利用可能性】
【００１１】本発明は、上記のように優れた効果を呈するもので、液状の飲料、薬剤、洗剤などを収容する各種のボトル、瓶、或いはこれ等に類似の容器に適用すことができ、この種産業および一般家庭に貢献すること多大なものがある。
【図面の簡単な説明】
【００１２】
【図１】本考案の実施例を示す縦断面説明図である。
【図２】図１に示すボトルの分解組み立ての一部断面した斜視説明図である。
【図３】従来例を示す縦断面説明図である。
【図４】図３に示す従来例の分解組み立ての一部断面した斜視説明図である。
【符号の説明】
【００１３】１０    液漏防止キャップ付液体収容ボトル
１１    供給口
１１ａ  回収孔
１２    メインキャップ１
１３    孔明き板
１４    細孔体嵌入部
１５    細孔体
１６    ドーナツ型ホルダー
１７    サブキャップ
２０    溢流溜リング堰
２０ａ  突リング
２０ｂ  開閉ブロック
２０ｃ  プール
【図１】
0003155424.tif 000003
【図２】
0003155424.tif 000004
【図３】
0003155424.tif 000005
【図４】
0003155424.tif 000006
【手続補正書】
【提出日】平成21年8月18日(2009.8.18)
【手続補正３】
【補正対象書類名】実用新案登録請求の範囲
【補正対象項目名】全文
【補正方法】変更
【補正の内容】
【実用新案登録請求の範囲】
【請求項１】
ボトル上部の供給口（１１）を覆うメインキャップ（１２）の上部は、多数の孔明き板（１３）を底部に設けた細孔体嵌入部（１４）に細孔体（１５）の下部を嵌入し、細孔体（１５）をドーナツ型ホルダー（１６）で保持して構成し、このメインキャップ（１２）の上部をサブキャップ（１７）により開閉可能に覆う液体収容ボトル（１０）において、
メインキャップ（１２）の上部に、その外周面と内周面との間に貫通する溢流液回収孔（１１ａ）を設けると共に、前記メインキャップ（１２）の上部に、その外周面との間に前記溢流液回収孔（１１ａ）に連通可能なプール（２０ｃ）を形成する溢流溜リング堰（２０）を摺動回転可能に装着し、溢流溜リング堰（２０）のプール（２０ｃ）側に前記回収孔（１１ａ）を開閉する開閉ブロック（２０ｂ）を設けたことを特徴とする液漏防止キャップ付液体収容ボトル（１０）。
【手続補正４】
【補正対象書類名】明細書
【補正対象項目名】０００６
【補正方法】変更
【補正の内容】
【０００６】  本考案は上記問題を解決するためになされたものでありその特徴とするところは、次の（１）にある。
（１）、ボトル上部の供給口（１１）を覆うメインキャップ（１２）の上部は、多数の孔明き板（１３）を底部に設けた細孔体嵌入部（１４）に細孔体（１５）の下部を嵌入し、細孔体（１５）をドーナツ型ホルダー（１６）で保持して構成し、このメインキャップ（１２）の上部をサブキャップ（１７）により開閉可能に覆う液体収容ボトル（１０）において、
メインキャップ（１２）の上部に、その外周面と内周面との間に貫通する溢流液回収孔（１１ａ）を設けると共に、前記メインキャップ（１２）の上部に、その外周面との間に前記溢流液回収孔（１１ａ）に連通可能なプール（２０ｃ）を形成する溢流溜リング堰（２０）を摺動回転可能に装着し、溢流溜リング堰（２０）のプール（２０ｃ）側に前記回収孔（１１ａ）を開閉する開閉ブロック（２０ｂ）を設けたことを特徴とする液漏防止キャップ付液体収容ボトル（１０）。
【手続補正５】
【補正対象書類名】明細書
【補正対象項目名】０００９
【補正方法】変更
【補正の内容】
【０００９】  本例の液漏防止キャップ付液体収容ボトル１０は、図１と図２に詳細に示すように、ボトル上部の供給口１１を開閉可能に覆うメインキャップ１２と、メインキャップ１２の上部を開閉可能に覆うサブキャップ１７とからなり、メインキャップ１２の上部を改良したものである。
メインキャップ１２の上部は、多数の供給孔１３ａを設けた孔明き板１３を底部に設けた細孔体嵌入部１４を一体的に形成し、細孔体嵌入部１４に細孔体１５の下部を嵌入し、細孔体嵌入部１４の外周部にドーナツ型ホルダー１６を嵌入して、細孔体１５を保持する。
このメインキャップ１２における前記ドーナツ型ホルダー１６の装着部の下方において、外周面と内周面に貫通する溢流液回収孔１１ａを９０度の等角度で４個設けると共に、溢流溜リング堰２０の下部を装着する。
溢流溜リング堰２０は、下部内周部に突リング２０ａを形成し、突リング２０ａの上面には溢流液回収孔１１ａと同様に９０度の等角度で開閉ブロック２０ｂを４個固定設置する。
突リング２０ａは、メインキャップ１２の上部の外周面に摺動可能に密着嵌合する。
開閉ブロック２０ｂは、溢流溜リング堰２０の回転により前記回収孔１１ａを開閉する。
これにより溢流溜リング堰２０は、その上部の内周面と突リング２０ａ上面とドーナツ型ホルダー１６の外周面との間に細孔体１５からの溢流液を一旦収容するプール２０ｃを形成する。
溢流溜リング堰２０は，手で簡単に廻せるように外周面を縦じま状などの適宜なエンボス加工を施すか、取っ手を任意の位置に設置すればよい。